(57)【要約】【課題】  従来提供されてきた、患者がシャワー入浴や水洗の際に使用する疾病患部用の防水カバーは、片手で装着、脱去ができるものが極めて少なく、介護者、看護師等の介助が必要となるものが多く、医療従事者の負担や医療コストの上昇の遠因にもなっていた。【解決手段】  本発明の人体部位防水具は、上記課題を解決するために、防水必要部位を被覆する下面開口中空部を設けた密着性の良い弾性材料により構成された皮膚に接触する鍔状平坦部と、先端に面ファスナーがそれぞれ装着され、鍔状平坦部の両側に連結したバンドにより構成される。このように構成した事により下面開口中空部は構成材料の弾性と柔軟性により確実に皮膚に密着して防水性の維持が実現できる。又、患者本人自身の操作で脱着が可能となり極めて有効である。【選択図】図２
2013236896.tif 000002
【特許請求の範囲】
【請求項１】
人体の防水必要部位を被覆する下面開口中空部と、その外周に連続し人体に皮膚に接触する鍔状平坦部と、前期の下面開口中空部を固定するために鍔状平坦部の両側にそれぞれ連結したバンドＡ及びバンドＢにより構成したことを特徴とする人体部位防水具。
【請求項２】
人体の防水必要部位を被覆する下面開口中空部と一体化して、その外周に連続し人体の皮膚に接触する鍔状平坦部と、前期下面開口中空部に着脱可能な嵌合穴を設けた嵌着部の両側に下面開口中空部を固定するために鍔状平坦部の両端にそれぞれ連結したバンドＡ及びバンドＢにより構成した事を特徴とする人体部位防水具。
【請求項３】
両端のバンドＡ及びＢの先端部に、重合して相互に係着する面ファスナーＡ及びＢをそれぞれ装着したことを特徴とする請求項１及び請求項２に記載した人体部位防水具。
【発明の詳細な説明】
【技術分野】
【０００１】  本発明は、点滴用針の穿刺部や包帯で保護された疾病患部等が、入浴、洗顔、シャワー等において水に濡れる事を防ぐための人体部位防水用保護カバーであり、防水カバー装着・脱去の簡易性、密着性、気密性を図る事を目的とし、必要十分な強度と専門性を要しない簡便な着脱法、安全性、確実性、経済性を総合的に実現し、医療機関側、患者側双方の負担を軽減して使用の導入効果を挙げる事が期待される。
【背景技術】
【０００２】  看護師等医療従事者が、患者に点滴用針を人体の部位に留置する必要のある治療や検査を行う場合、例えば人体の前腕部に針を刺すが、点滴の薬液から延びるチューブと結合するための短いチューブが、針に接続した状態で留置される。（以下、刺入部という）。患者がシャワーを浴びたり入浴したりする際、事前に、点滴用針の刺入部を水漏れから保護するために、食品用ラップのようなものを二層以上巻き付け、ラップの両端を水が浸入しないように、粘着テープでしっかりと固定する防水方法が用いられている。【０００３】  この様な食品用ラップを使用する防水方法は、刺入部に直接触れるので、場合によっては患者に痛みや不快感などのストレスを与えてしまう。又、作業は慎重になり時間も掛かる為、看護師等が装着に従事するがストレスを感じてしまうという影響が報告されている。この方法は、患者自身で行うのは困難な為、看護師等が主となり上記の刺入部防水対策を行っている。看護師が患者一人当たりの装着に掛かる処置時間は、約５分であると言う。【０００４】  従来のこの種の人体部位防水カバーは、合成樹脂を筒状皮膜に成形して両端に輪ゴムを入れ熱接着して腕カバーとしたものや、吸水体で覆った後、防水弾性体で覆う二重構造のものや、不織布と透明フィルムの複合素材の保護シーツ等が利用されている。防水腕カバーは、衣服の濡れ、汚れ防止に適し、安価であるが、輪ゴムの収縮により発生する筒状皮膜の皴から毛細管現象により水が浸入してしまい防水性に問題がある。同方法による更なる防水性能向上には、適正を超えた収縮による締付け力が要求され、痛みや不快感を余儀なくされる。疾病患部快適入浴カバーは、疾病患部の蒸れを回避でき、防水性も高いが、片手で腕などの包帯をした患部や刺入部への接触なしに装着するのが困難である。手首用水侵入防止ガードは、手首からの水の浸入防止には効果大だが、手首限定で利用範囲が狭い。保護フィルム付防水シーツは、不織布による吸水性の高さで防水性能は高いが、患者自身による正確かつ効果的な装着が困難である。接着タイプとした場合、再利用が効かず、使い捨てとなる事から、経済的な負担が増す。
【発明の開示】
【発明が解決しようとする課題】
【０００５】  従来の人体部位防水カバーは、装着・脱去に療関係者の介助を必要としたり、装着の精度にばらつきが生じ、防水性が初期の品質を確保できない場合があること、使い捨て利用用途としては価格が高いこと、また密着性の弱少による水の進入による安全性の不足、ゴム等の弾性体の強度による圧迫感等の問題も指摘されているなど、簡便性、安全性、確実性、経済性において、多くの課題を有している。更に従来の人体防水性カバーを分析すると、防水性ばかりに主眼を置かれている為、装着が面倒であったり、装着時の運動阻害感や刺入部への接触などが発生したり、また安価な粘着シートで保護する場合は刺入部に貼り付くため、剥がす時に痛みを感じる事などの欠点があった。【０００６】    従って、人体部位防水カバーには、圧迫感や緊張感を軽減し、浸水性安全性の確保、介助の必要なく簡単に脱着でき、何時でも、どこでも、目的に応じて対応でき、携帯も可能なものが求められている。個人での刺入部の防水処置が可能となれば、医師や看護師等、医療従事者の長時間勤務や受け持ち患者数増加による労働負荷の軽減に寄与することができる。【０００７】  本発明は、これら従来の欠点を解消したものであり、誰にでも補助なく着脱が簡単であり、また、専門性を要しない装着方法、密着、防水の確実性において特に優れている。
【課題を解決するための手段】
【０００８】  本発明に係る人体部位防水具は、従来の防水カバーの上記課題を解決するため、例えば点滴用留置針及びその周囲など、人体の防水必要部位を被覆する下面開口中空部と、その外周に連結され、皮膚に密着して防水の役割となる弾性材料で構成した鍔状平坦部と、鍔状平坦部の両端に連結され、先端に相互に係着する面ファスナーを装着したバンドにより構成することを特徴としている。
【発明の効果】
【０００９】  本発明による人体部位防水具は、弾性材料を浸水防止の鍔状平坦部に使用する事により、皮膚との密着状態を維持する。又、容易に固定する事の出来るバンドが付属することで、患者が自分自身で防水対処箇所である刺入部や傷等の患部を包含する人体部位に極めて短時間で容易に装着できる。装着後は弾性の形状追従性で皮膚接触面側からの水の浸入防止が可能となる。
【発明の実施するための最良の形態】
【００１０】  下面開口中空部の材料は鍔状平坦部と同一材料でなくても良いが、成型性の容易さからは、同一材料の方が好ましい。また、下面開口中空部と鍔状平坦部とを別成型で行い組み合わせて使用する事もできるが、防水性の観点から下面開口中空部と鍔状平坦部は同時成型が望ましい。
【００１１】  皮膚に接触する鍔状平坦部は勿論、下面開口中空部も同一材料を使用する場合は、一体成型が可能であり、硬さがＥ３からＡ５０の弾性材料がよい。この硬度の範囲の材料は適度な引張り応力や伸びなどを有しており、皮膚との防水性に必要な密着性の維持に優れている。
【００１２】  刺入部や傷などを覆う下面開口中空部と皮膚に直接接触する鍔状平坦部は、それぞれを目視できるような透明性を持った材料の必要性がある。特に下面開口中空部は刺入部や患部などを覆う箇所に位置合わせをするため、容易に目視できる透明性を有する材料であることが不可欠となる。
【００１３】  バンドは通常は、鍔状平坦部の両端部の２カ所に接続されるが、人体部位の装着箇所によっては人体の複雑な起伏形状に適応させ、より確実な密着をさせるため、鍔状平坦部の３カ所以上の任意の位置で接続することもある。
【００１４】  また、人体部位の装着箇所によっては、鍔状平坦部の厚みを１０ｍｍ以上にする事もできる。
【実施例】
【００１５】  次に本発明の１実施例を図１の断面図及び図２の斜視図により説明する。本発明は下面開口中空部１と、その外周に連結された鍔状平坦部２と、鍔状平坦部２の両側に連結され重合して相互に係着する面ファスナー４Ａ、４Ｂをそれぞれ先端に装着したバンド３Ａ、３Ｂにより構成された人体部位防水具である。【００１６】  この実施例は、下面開口中空部１を半球状に形成し、下面開口中空部１と鍔状平坦部２とバンド３Ａ及びバンド３Ｂが一体成型される。構成材料は皮膚への密着性、防水性に富む弾性材料で構成される。【００１７】  本発明による人体部位防水具の使用法は、図３に例示する通り人体の防水必要部位、例えば図示の通り、腕５の防水必要部位の位置を下面開口中空部１により被覆し、その外周の鍔状平坦部２をその周囲の皮膚に密着させた状態で、バンド３Ａと３Ｂを腕５に巻き締め付け、それぞれの先端に装着してある面ファスナー４Ａと４Ｂを重ね合わせて相互に係着させる事により完全に固定する。従って、装着後は、弾性材料で構成され密着性に富む鍔状平坦部３が皮膚に密着し、下面開口中空部１が内部の点滴用針などに接触する事無く、防水必要部位の防水状態を持続する事ができる。【００１８】  図４は下面開口中空部１の形状を直方体などの箱状に形成した実施例である。人体の防水必要部位の範囲や被服の必要高さに対しては、半球形よりも直方体が適応し易い場合があるので、そのような場合に有効である。【００１９】  図５は一体にした下面開口中空部１及び鍔状平坦部２と、バンド３Ａ及び３Ｂを分離可能にした他の実施例の斜視図である。一体化した下面開口中空部１及び鍔状平坦部２と、鍔状平坦部２の上面側に突出した下面開口中空部１に嵌着する嵌合穴９を設けた嵌着部８の両側に連結され、重合して相互に係着する面ファスナー４Ａと４Ｂをそれぞれ先端に装着したバンド３Ａ及び３Ｂにより構成する。図６は分離した状態を示す斜視図である。【００２０】  この実施例の人体部位防水具の使用法は、図５に示す通り、鍔状平坦部２の上面に突出する下面開口中空部１に嵌着部８の嵌合穴９を嵌め込み、嵌着部８の両側に連結されたバンド３Ａ、３Ｂ部分を一体化して使用する。使用に際しては、事前に一体化した後、人体部位に装着しても、先ず、鍔状平坦部２を人体部位に当接した後、下面開口中空部１に嵌着部８の嵌合穴９を嵌めてもよい。装着後は、嵌着部８が鍔状平坦部２を押圧するので、鍔状平坦部２とバンド３Ａ、３Ｂが連結し一体に構成した場合と同様に、鍔状平坦部２が皮膚に密着して防水効果を発揮する。【００２１】この実施例においては、下面開口中空部１の底部形状と嵌合穴９を円形にすれば、人体の防水必要部位に対応して、図５に示す方向だけでなく３６０度いずれの方向にも嵌着する事ができる。また、下面開口中空部１の底部近接部分を円筒状に形成する事により、方向を違えて複数枚重ね合わせる事も可能であるので、固定し難い部位にも適応でき極めて有効である。【００２２】  また、下面開口中空部１及び鍔状平坦部２と、嵌着部８及びバンド３Ａ及び３Ｂの材質を相違させると、相互に要求される異なる条件を満たす事が容易になるという利点がある。更に、分離可能に構成する事は使用部位の範囲を���大するだけでなく、製作上の成形や製品の保管に便利である。
【図面の簡単な説明】
【００２３】
【図１】  本発明において、一体に構成した１実施例の縦断面図である。
【図２】  図１に示す一体に構成した実施例の斜視図である。
【図３】  図１及び図２に示す本発明の実施例を、人体の防水必要部位に装着した状態を示す斜視図である。
【図４】  本発明において、下面開口中空部の形状を箱状に構成した実施例を、人体の防水必要部位に装着した状態を示す斜視図である。
【図５】  本発明において、一体化した下面開口中空部及び鍔状平坦部と、両側にバンドを連結され、嵌合穴を設けた嵌着部とを、分離可能に構成した他の実施例の斜視図である。
【図６】  図５に示す分離可能に構成した実施例において、鍔状平坦部側と嵌着部及びバンド側とを分離した状態の斜視図である。
【符号の説明】
【００２２】１    下面開口中空部
２    鍔状平坦部
３Ａ  バンド
３Ｂ  バンド
４Ａ  面ファスナー
４Ｂ  面ファスナー
５    前腕
６    点滴針
７    傷（患部）
８    嵌着部
９    嵌合穴
【図１】
2013236896.tif 000003
【図２】
2013236896.tif 000004
【図３】
2013236896.tif 000005
【図４】
2013236896.tif 000006
【図５】
2013236896.tif 000007
【図６】
2013236896.tif 000008